(57)【要約】【課題】  画像形成装置において、キャリブレーションの実行に際し、所定の競合制御を行うことにより効率よい画像処理を可能とする。【解決手段】  所定のキャリブレーション要求に基づきキャリブレーションの実行を制御するキャリブレーション実行管理部１３１と、キャリブレーション実行管理部１３１からの命令に応じ各種キャリブレーションを実行するキャリブレーション実行部１３２と、実行されたキャリブレーションの終了時刻及び種類を保存するキャリブレーション履歴管理部１３３とを備え、一のキャリブレーションを実行中に当該キャリブレーションと同一種類である他のキャリブレーションの要求が発生した場合には、当該他のキャリブレーションを実行しない構成としてある。【選択図】  図２
2006212918.tif 000002
【特許請求の範囲】
【請求項１】
出力画像を所定の画質に維持するために行われる一又は二種以上のキャリブレーション機能を備えた画像形成装置であって、
所定のキャリブレーションを実行するキャリブレーション実行部と、
所定のキャリブレーション要求に基づいて、キャリブレーション実行部を制御して要求にかかる所定のキャリブレーションを実行させるキャリブレーション実行管理部と、を備え、
キャリブレーション実行管理部は、一のキャリブレーションの実行中に当該キャリブレーションと同一種類にかかる他のキャリブレーション要求が発生すると、当該要求にかかる同種類のキャリブレーションを実行させないようにキャリブレーション実行部を制御することを特徴とする画像形成装置。
【請求項２】
キャリブレーション実行管理部は、一のキャリブレーションの実行中に当該キャリブレーションと異なる種類にかかる他のキャリブレーション要求が発生すると、当該要求にかかる異なる種類のキャリブレーションを、実行中のキャリブレーションの終了を待って実行させるようにキャリブレーション実行部を制御する請求項１記載の画像形成装置。
【請求項３】
キャリブレーション実行部により実行されたキャリブレーションの種類及び終了時刻を含むキャリブレーション履歴情報を記憶するキャリブレーション履歴管理部を更に備え、
キャリブレーション実行管理部は、一のキャリブレーション要求が発生すると、キャリブレーション履歴管理部に記憶されたキャリブレーション履歴情報に基づいて、当該キャリブレーション要求と同種類のキャリブレーションが所定時間内に実行されている場合には、当該要求にかかるキャリブレーションを実行させないようにキャリブレーション実行部を制御する請求項１又は２記載の画像形成装置。
【請求項４】
キャリブレーション実行部で実行されるキャリブレーションが、Ｉ／Ｏキャリブレーション及び／又はバイアスキャリブレーションを含む請求項１乃至３のいずれかに記載の画像形成装置。
【請求項５】
出力画像を所定の画質に維持するために行われる一又は二種以上のキャリブレーション機能を備えた画像形成装置を構成するコンピュータを、
所定のキャリブレーションを実行するキャリブレーション実行手段、所定のキャリブレーション要求に基づいて、キャリブレーション実行手段を制御して要求にかかる所定のキャリブレーションを実行させるキャリブレーション実行管理手段、キャリブレーション実行手段により実行されたキャリブレーションの種類及び終了時刻を含むキャリブレーション履歴情報を記憶するキャリブレーション履歴管理手段、として機能させるとともに、
キャリブレーション実行管理手段を、
一のキャリブレーションの実行中に当該キャリブレーションと同一種類にかかる他のキャリブレーション要求が発生すると、当該要求にかかる同種類のキャリブレーションを実行させないようにキャリブレーション実行手段を制御し、
一のキャリブレーションの実行中に当該キャリブレーションと異なる種類にかかる他のキャリブレーション要求が発生すると、当該要求にかかる異なる種類のキャリブレーションを、実行中のキャリブレーションの終了を待って実行させるようにキャリブレーション実行手段を制御し、
更に、一のキャリブレーション要求が発生すると、キャリブレーション履歴管理手段に記憶されたキャリブレーション履歴情報に基づいて、当該キャリブレーション要求と同種類のキャリブレーションが所定時間内に実行されている場合には、当該要求にかかるキャリブレーションを実行させないようにキャリブレーション実行手段を制御する手段、として機能させるための画像処理プログラム。
【発明の詳細な説明】
【技術分野】
【０００１】
本発明は、複数種類のキャリブレーション機能を有する画像形成装置に関し、より詳しくは、キャリブレーションの実行に際し、所定の競合制御を行うことにより効率よい画像処理を行う画像形成装置に関する。
【背景技術】
【０００２】
従来からカラープリンタ等に代表される画像形成装置においては、当該装置が置かれている環境の変化、部品の劣化・消耗等によって、画像形成出力にかかる電気的又は機械的な状態が変化し、同一の画像を出力した場合でも出力された画像の色や濃度がその前後で異なる場合がある。
そこで、カラープリンタ等の画像形成装置においては、出力画像の色変化や濃度低下を抑制するキャリブレーションという色補正機能が備えられ、出力画像が一定の画質を維持されるようになっている。
【０００３】
ここで、キャリブレーションの種類としては、バイアスを調整して補正を行うバイアスキャリブレーションや、実際の画像出力の際の色の濃度の傾き（γテーブル）を演算処理によって設定して補正を行うＩ／Ｏキャリブレーション等の、複数種類のキャリブレーション機能があり、画像形成装置の仕様や設定，使用態様等に応じて各種キャリブレーションが実行されるようになっている（特許文献１参照。）。
【０００４】
ところで、上記のようなキャリブレーションは、出力画像を一定の画質に維持できる利点がある反面、キャリブレーションの実行中は印刷等の他の処理が行えなくなり、また、テストパターンの生成のために余計なトナーが使用されるといったマイナス面もあり、キャリブレーションが不必要に行われることは好ましくない。そこで、これまで、キャリブレーションの実行タイミングを出力モード等に応じて効率的に制御し、キャリブレーションの頻度を最小限に抑えるようにした画像形成装置が提案されている（特許文献２参照。）。
【０００５】
【特許文献１】特開２００２−２９６８５１号公報（第８−９頁、第６図）
【特許文献２】特開平１１−１７７８２２号公報（第１−２頁、第２図）
【発明の開示】
【発明が解決しようとする課題】
【０００６】
しかしながら、以上のようなこれまで提案されているキャリブレーションの制御方法では、出力対象となる各々の画像特性に適したキャリブレーションの実行タイミングを制御することは可能だが、複数のキャリブレーションが競合した場合に各々のキャリブレーションの実行タイミングを制御することはできなかった。
このため、同じタイミングで同じ種類のキャリブレーションが競合した場合等には、重複して又は繰り返し同一種類のキャリブレーションが実施されることになり、依然として従来からの課題が解決されないままとなっていた。
【０００７】
本発明は、以上のような従来の技術が有する問題を解決するために提案されたものであり、キャリブレーションの実行に際し、所定の競合制御を行うことにより、同種類のキャリブレーションが繰り返し実行されることを確実に防止して、効率のよい画像処理が可能となる画像形成装置及び画像処理プログラムの提供を目的とする。
【課題を解決するための手段】
【０００８】
上記目的を達成するため、本発明の画像形成装置は、請求項１に記載するように、出力画像を所定の画質に維持するために行われる一又は二種以上のキャリブレーション機能を備えた画像形成装置であって、所定のキャリブレーションを実行するキャリブレーション実行部と、所定のキャリブレーション要求に基づいて、キャリブレーション実行部を制御して要求にかかる所定のキャリブレーションを実行させるキャリブレーション実行管理部とを備え、キャリブレーション実行管理部は、一のキャリブレーションの実行中に当該キャリブレーションと同一種類にかかる他のキャリブレーション要求が発生すると、当該要求にかかる同種類のキャリブレーションを実行させないようにキャリブレーション実行部を制御する構成としてある。
【０００９】
また、請求項２に記載するように、本発明の画像形成装置は、キャリブレーション実行管理部が、一のキャリブレーションの実行中に当該キャリブレーションと異なる種類にかかる他のキャリブレーション要求が発生すると、当該要求にかかる異なる種類のキャリブレーションを、実行中のキャリブレーションの終了を待って実行させるようにキャリブレーション実行部を制御する構成としてある。
【００１０】
また、請求項３に記載するように、本発明の画像形成装置は、キャリブレーション実行部により実行されたキャリブレーションの種類及び終了時刻を含むキャリブレーション履歴情報を記憶するキャリブレーション履歴管理部を更に備え、キャリブレーション実行管理部が、一のキャリブレーション要求が発生すると、キャリブレーション履歴管理部に記憶されたキャリブレーション履歴情報に基づいて、当該キャリブレーション要求と同種類のキャリブレーションが所定時間内に実行されている場合には、当該要求にかかるキャリブレーションを実行させないようにキャリブレーション実行部を制御する構成としてある。
【００１１】
そして、請求項４に記載するように、本発明の画像形成装置は、キャリブレーション実行部で実行されるキャリブレーションが、Ｉ／Ｏキャリブレーション及び／又はバイアスキャリブレーションを含む構成としてある。
【００１２】
このような構成からなる本発明の画像形成装置によれば、あるキャリブレーションの実行中や実行後に、所定のタイミングで発生した同一種類のキャリブレーションが実行されることがなくなり、重複したキャリブレーション処理が回避されることになる。具体的には、実行中のキャリブレーションがある場合には、当該実行中のキャリブレーションと同種類のキャリブレーションの実行が行われず、また、実行中のキャリブレーションがない場合にも、予め設定された所定時間内における同一種類のキャリブレーションの実行が回避されることになる。
【００１３】
これにより、本発明では、不必要な実行を抑えつつ効果的なキャリブレーション処理が行われ、一定の画質を維持した画像形成・出力が可能となるとともに、無駄なトナーの消費が抑制でき、また、キャリブレーション実行により印刷処理が行えない待機時間も極力短縮でき、画像形成装置全体としての作業効率を向上させることができる。
また、キャリブレーションの種類に応じた最適なキャリブレーションの実行間隔等を設定することができ、画像の種類や内容，ユーザの使用状況等に応じた柔軟な対応が可能となり、より効率的な画像形成処理が可能である。
【００１４】
また、本発明の画像処理プログラムは、請求項５に記載するように、出力画像を所定の画質に維持するために行われる一又は二種以上のキャリブレーション機能を備えた画像形成装置を構成するコンピュータを、所定のキャリブレーションを実行するキャリブレーション実行手段、所定のキャリブレーション要求に基づいて、キャリブレーション実行手段を制御して要求にかかる所定のキャリブレーションを実行させるキャリブレーション実行管理手段、キャリブレーション実行手段により実行されたキャリブレーションの種類及び終了時刻を含むキャリブレーション履歴情報を記憶するキャリブレーション履歴管理手段、として機能させるとともに、キャリブレーション実行管理手段を、一のキャリブレーションの実行中に当該キャリブレーションと同一種類にかかる他のキャリブレーション要求が発生すると、当該要求にかかる同種類のキャリブレーションを実行させないようにキャリブレーション実行手段を制御し、一のキャリブレーションの実行中に当該キャリブレーションと異なる種類にかかる他のキャリブレーション要求が発生すると、当該要求にかかる異なる種類のキャリブレーションを、実行中のキャリブレーションの終了を待って実行させるようにキャリブレーション実行手段を制御し、更に、一のキャリブレーション要求が発生すると、キャリブレーション履歴管理手段に記憶されたキャリブレーション履歴情報に基づいて、当該キャリブレーション要求と同種類のキャリブレーションが所定時間内に実行されている場合には、当該要求にかかるキャリブレーションを実行させないようにキャリブレーション実行手段を制御する手段、として機能させるための画像処理プログラムとしてある。
【００１５】
このように本発明はプログラムとしても提供することができる。
これにより、画像形成装置のみならずコンピュータを備えた様々な装置にプログラムをインストールすることによって本発明を実現することができ、汎用性，拡張性に優れた画像処理プログラムとして提供することができる。
【発明の効果】
【００１６】
本発明の画像形成装置によれば、キャリブレーションの実行に際し、所定の競合制御を行うことにより、同種類のキャリブレーションが繰り返し実行されることを確実に防止して、効率のよい画像処理が可能となる。
これにより、キャリブレーションの実行回数を抑えつつ、一定の画質を維持した画像出力を行うことが可能となり、キャリブレーション実行中の使用不能時間（待機時間）を可能な限り短縮し、また、無駄なトナーの消費を削減することができ、画像形成装置全体の効率的な運用を実現することができる。
【発明を実施するための最良の形態】
【００１７】
以下、本発明の画像形成装置の好ましい実施形態について図１〜図３を参照して説明する。
ここで、以下に示す本実施形態の画像形成装置は、プログラム（画像処理プログラム、ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の画像形成装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１８】
図１は、本発明の一実施形態に係る画像形成装置のブロック図である。
本発明の画像形成装置１０は、画像形成部１１、システム制御部１２、メカ制御部１３、操作・表示部１４、Ｉ／Ｆ部１５及び画像出力部１６から構成され、通信回線２０を介してホストコンピュータ３０と接続されている。
画像形成部１１は、ホストコンピュータ３０から送られてきた画像情報に基づいてビットマップデータ等の画像データを生成し、画像出力部１６に送出するものである。
【００１９】
システム制御部１２は、画像形成装置１０を構成する各部に対して様々な制御を行い、又は演算処理を行うものであり、具体的には、マイクロコンピュータを構成するＣＰＵや、画像処理プログラムを格納するＲＯＭ（Read Only Memory）、一時的にデータを記憶しておくためのＲＡＭ（Random Access Memory）等が含まれる。
メカ制御部１３は、主に画像出力部１６の制御を行うものであり、特に本実施形態におけるキャリブレーション競合制御の中心的な役割を担うものである。
このためメカ制御部１３は、キャリブレーション実行管理部１３１、キャリブレーション実行部１３２及びキャリブレーション履歴管理部１３３を有し、各々がキャリブレーション競合制御に必要な機能を備えている。
【００２０】
キャリブレーション実行管理部１３１は、所定のキャリブレーション要求を受け、係るキャリブレーションの実行を制御するものである。
具体的には、画像形成部１１、システム制御部１２、操作・表示部１４等からキャリブレーションの要求を受け、所定の条件に基づき、当該要求を却下したり、キャリブレーション実行部１３２に対し実行命令を行うといった制御を行う。
ここで、キャリブレーションの種類は、例えば、感光ドラムのグリッド電位や現像バイアス電位を調整するバイアスキャリブレーションや、バイアスキャリブレーションとともに画像処理におけるガンマ補正テーブルの内容を更新等して画像形成における出力濃度や階調特性を補正するＩ/Ｏキャリブレーション等、複数の種類が存在し、それぞれ独自のタイミングで要求が行われる。
【００２１】
そして、本実施形態では、このような複数種類のキャリブレーションについて、所定のタイミングで同種類のキャリブレーションが競合・重複した場合に、キャリブレーション実行管理部１３１によって重複処理を回避するための所定の競合制御が行われるようになっている。
ここで、競合・重複する同種類のキャリブレーションとしては、バイアスキャリブレーション同士や、Ｉ/Ｏキャリブレーション同士を指すのは勿論であるが、それ以外にも、例えば、Ｉ/Ｏキャリブレーション中にはバイアスキャリブレーションと同様の処理が行われることから、Ｉ/Ｏキャリブレーションの実行中又は実行後にバイアスキャリブレーション要求が発生したような場合も該当する。
このキャリブレーションの競合制御の詳細については後述する。
【００２２】
キャリブレーション実行部１３２は、前記キャリブレーション実行管理部１３１からの命令に従って、各種キャリブレーションを実行するものである。
キャリブレーション履歴管理部１３３は、キャリブレーション実行部１３２によって実行されたキャリブレーションの終了時刻及び種類を一時的に保存しておくものであり、後述するキャリブレーション競合制御に必要なデータとして利用される。
【００２３】
操作・表示部１４は、キャリブレーションの実行を任意に行う際に、ユーザが直接操作してかかる命令を行うものである。
また、前記操作に伴う結果表示や操作補助等を行うための表示機能も含まれており、通常、液晶パネルやキー等によって構成される。
Ｉ／Ｆ部１５は、外部機器とのインターフェースであり、本実施形態においては、ホストコンピュータ３０から送信された画像データを通信回線２０を介して取り込み、システム制御部１２の制御のもと、画像形成部１１に転送することが主な機能である。
画像出力部１６は、主として画像形成部１１で生成された画像データをメカ制御部１３の制御のもと、印刷出力するものである。
【００２４】
次に、以上のような構成からなる画像形成装置のキャリブレーション競合制御について図２を参照しつつ説明する。
図２は、本発明の一実施形態に係る画像形成装置のキャリブレーション競合制御を示したフローチャートである。
まず、ホストコンピュータ３０からの画像データが通信回線２０を通して送られ、それを受信した画像形成装置１０にて印刷出力を行うことが基本動作となる。
ここで、画像形成装置１０がキャリブレーション機能を備えている事を前提とすると、一定の印刷枚数毎又は一定の時間経過の度、もしくはユーザの任意等、様々なタイミングにおいてキャリブレーションの要求が発生することから、これらキャリブレーションの要求や実行が重複する場合がある。
本実施形態では、この様にキャリブレーション処理が重複した場合の競合制御を特徴とするものである。
【００２５】
まず、新たなキャリブレーションの要求が発生する（ステップＳ１）と、他のキャリブレーションが実行中でないか否かを確認する。
そして、実行中の他のキャリブレーションがない場合はステップＳ３へ、既に他のキャリブレーションが実行中であればステップＳ６へそれぞれすすむ（ステップＳ２）。
【００２６】
ステップＳ６では現在実行中のキャリブレーションの種類を確認し、同種類であればキャリブレーションを実行しない（ステップＳ６、Ｓ８）。そして、実行中のキャリブレーションが終了する（ステップＳ９）とその終了時刻やキャリブレーションの種類等のデータを取得・保存し（ステップＳ１１）、一連のキャリブレーション処理は終了する（ステップＳ１２）。
一方、ステップＳ６でキャリブレーションの種類が異なる場合は、実行中のキャリブレーション終了を待ってステップＳ３にすすむ（ステップＳ６、Ｓ７、Ｓ３）。
【００２７】
ステップＳ３では、新たなキャリブレーションの要求がある前の所定時間内に実行されたキャリブレーションを抽出しそれらの中に、要求のあったキャリブレーションと同種のものが存在すれば、当該要求のあったキャリブレーションを実行せず（ステップＳ３、Ｓ１０）、そのままキャリブレーション処理は終了する（ステップＳ１２）。
一方、ステップＳ３で、所定時間内に要求のあったキャリブレーションと同種のものが存在しなければ、当該要求のあったキャリブレーションを実行する（ステップＳ３、Ｓ４）。そしてキャリブレーションの実行が終了（ステップＳ５）した後、その終了時刻とキャリブレーションの種類を取得・保存し（ステップＳ１１）、一連のキャリブレーション処理は終了する（ステップＳ１２）。
なお、ステップＳ１１で取得したデータは、それ以降のキャリブレーション競合制御に必要なデータとしてキャリブレーション履歴管理部１３３に保存され、前述のステップＳ３での判別に利用される。
【００２８】
次に、以上のような構成からなる画像形成装置のキャリブレーション競合制御の詳細について図３を参照しつつ説明する。
図３は、本発明の一実施形態に係る画像形成装置に関し、Ｉ/Ｏキャリブレーション（バイアスキャリブレーションを含む）の実行中に、別途バイアスキャリブレーションの要求が発生した場合の競合制御を示したシーケンス図である。
【００２９】
まず、システム制御部１２からメカ制御部１３に対してＩ/Ｏキャリブレーションの要求があったものとする（Ｓ１０１）。
これを受けメカ制御部１３は、競合する他のキャリブレーションが有るか否かを確認する（Ｓ１０２）。
その結果、競合するキャリブレーションが存在しないことを確認すると、要求のあったＩ/Ｏキャリブレーションの実行が許可され、一連のキャリブレーション処理が開始される。
そして、画像出力部１６に対してキャリブレーション処理が開始した事を通知する（Ｓ１０３）。
【００３０】
メカ制御部１３は、前記通知を画像出力部１６が受信したことを確認する（Ｓ１０４）と、システム制御部１２に対しキャリブレーションの要求が許可されたことを通知する（Ｓ１０６）と共に、操作・表示部１４に対しキャリブレーション表示要求を行う（Ｓ１０５）。
キャリブレーション表示要求を受けた操作・表示部１４は、キャリブレーションが実行中であることを表示する（Ｓ１０７）。これによりユーザは現在キャリブレーションが実行中で有ることを認識することができる。
一方、キャリブレーションの要求元であるシステム制御部１２は、次の段階では、Ｉ/Ｏキャリブレーションの実行に必要なバイアスキャリブレーションデータとＩ/Ｏキャリブレーションデータを画像形成部１１に送信することとなる（Ｓ１０８〜Ｓ１１６）。
【００３１】
ここでは、最初にバイアスキャリブレーションを実行するため、まず画像形成部１１に対しバイアスキャリブレーションデータを送信する（Ｓ１０８）。
そしてバイアスキャリブレーションデータを受けた画像形成部１１は、メカ制御部１３に対し係る印刷要求を行い（Ｓ１０９）、引き続きメカ制御部１３は、画像出力部１６に対しバイアスチャート印刷要求を行う（Ｓ１１０）。
なお、Ｓ１１１、Ｓ１１２、Ｓ１１３はそれぞれＳ１１０、Ｓ１０９、Ｓ１０８に対応する応答信号である。
【００３２】
次にＩ/Ｏキャリブレーション実行のため、システム制御部１２は画像形成部１１に対しＩ/Ｏキャリブレーションデータを送信する（Ｓ１１４）。
そしてＩＯキャリブレーションデータを受けた画像形成部１１は、メカ制御部１３に対し係る印刷要求を行い（Ｓ１１５）、その後メカ制御部１３は、画像出力部１６に対しＩＯチャート印刷要求を行う（Ｓ１１６）。
【００３３】
図３に示す通り、この時点において、本実施形態の画像形成装置は、バイアスキャリブレーションとＩＯキャリブレーションの２つのキャリブレーション処理が実行中となる。
この様な状況の下、本実施形態の画像形成装置においては、画像出力部１６の独自の判断によりバイアスキャリブレーションが必要と判定され（Ｓ１１７）、その要求が行われる場合となっている（Ｓ１１８）。
【００３４】
この場合、メカ制御部１３は上述したＳ１０２と同様、競合する他のキャリブレーションが有るか否かを確認する（Ｓ１１９）。
そして、本実施形態の場合、実行中のキャリブレーションが存在し（バイアスキャリブレーション及びＩＯキャリブレーション）、しかもその中に要求に係るキャリブレーションと同一種類のキャリブレーションが含まれることになる。
従って、画像出力部１６から要求のあったバイアスキャリブレーションの実行は許可されず、その事が画像出力部１６に通知される（Ｓ１２０）。
【００３５】
なお、実行中の２つのキャリブレーションは、それぞれの処理が終了するまで引き続きキャリブレーションの実行を継続することとなる。
以上、図３のシーケンス図を用いてキャリブレーション競合制御のシーケンスについて説明を行ったが、これは主に図２のフローチャートのステップＳ１乃至Ｓ８までの動作を詳細に説明するものである。
【００３６】
以上説明したように、本実施形態の画像形成装置１０によれば、キャリブレーション実行管理部１２１、キャリブレーション実行部１２２及び／又はキャリブレーション履歴管理部１２３による相互の制御によって、実行中のキャリブレーションがある場合には、当該実行中のキャリブレーションと同種類のキャリブレーションの実行が行われず、また、実行中のキャリブレーションがない場合にも、予め設定された所定時間内における同一種類のキャリブレーションの実行が回避されることになる。
【００３７】
これにより、本実施形態の画像形成装置１０では、不必要な実行を抑えつつ効果的なキャリブレーション処理が行われ、一定の画質を維持した画像形成・出力が可能となるとともに、無駄なトナーの消費が抑制でき、また、キャリブレーション実行により印刷処理が行えない待機時間も極力短縮でき、画像形成装置全体としての作業効率を向上させることができる。
また、キャリブレーションの種類に応じた最適なキャリブレーションの実行間隔等を設定することができ、画像の種類や内容，ユーザの使用状況等に応じた柔軟な対応が可能となり、より効率的な画像形成処理が可能である。
【００３８】
以上、本発明の画像形成装置について、好ましい実施形態を示して説明したが、本発明にかかるキャリブレーション競合制御は、上述した実施形態にのみ限定されるものではなく、本発明の範囲で種々の変更実施が可能であることは言うまでもない。
例えば、本発明の画像形成装置は、プリンタのみならず、複写機やＦＡＸもしくはこれらの機能を併せ持った複合装置であってもよい。
【産業上の利用可能性】
【００３９】
本発明は、プリンタや複写機，ＦＡＸ等の画像形成装置に利用でき、特に、複数種類のキャリブレーション機能を備えた画像形成装置に好適に利用可能である。
【図面の簡単な説明】
【００４０】
【図１】本発明の一実施形態に係る画像形成装置のブロック図である。
【図２】本発明の一実施形態に係る画像形成装置におけるキャリブレーション競合制御を示したフローチャートである。
【図３】本発明の一実施形態に係る画像形成装置に関し、ＩＯキャリブレーションとバイアスキャリブレーションを実行中にバイアスキャリブレーションの要求が発生した場合の競合制御を示したシーケンス図である。
【符号の説明】
【００４１】
１０  画像形成装置
１１  画像形成部
１２  システム制御部
１３  メカ制御部
１３１  キャリブレーション実行管理部
１３２  キャリブレーション実行部
１３３  キャリブレーション履歴管理部
１４  操作・表示部
１５  Ｉ／Ｆ部
１６  画像出力部
２０  通信回線
３０  ホストコンピュータ
【図１】
2006212918.tif 000003
【図２】
2006212918.tif 000004
【図３】
2006212918.tif 000005